(57)【要約】【課題】一般住宅において、火災の際の停電で夜間でも消火設備を容易に確認でき、その確認部が普段の接触で損失せず、さらに避難の際の障害とならい簡易消火装置を提供することにある。【解決手段】室内の壁面に埋め込み取り付けられたケースの内部に給水管を導入し、給水管の下流に止水弁を設け、その下流側に折り畳まれて前記ケースに収納された消火用ホースを設け、前記消火用ホースの下流側先端を前記ケース用のカバーを介して消火用ノズルに接続されてなる簡易消火装置で、前記カバーに設けた取っ手が透明の中空体に形成され、前記取っ手の内部表面に光エネルギーを蓄積し発光する蓄光剤を塗布したことを特徴とする簡易消火装置とした。【選択図】図１
2004305502.tif 000002
【特許請求の範囲】
【請求項１】
室内の壁面に埋め込み取り付けられたケースの内部に給水管を導入し、給水管の下流に止水弁を設け、その下流側に折り畳まれて前記ケースに収納された消火用ホースを設け、前記消火用ホースの下流側先端を前記ケース用のカバーを介して消火用ノズルに接続されてなる簡易消火装置で、前記カバーに設けた取っ手が透明の中空体に形成され、前記取っ手の内部表面に光エネルギーを蓄積し発光する蓄光剤を塗布したことを特徴とする簡易消火装置。
【請求項２】
前記取っ手が光エネルギーを蓄積し発光する蓄光剤を練り込んだ材料で成形されてなることを特徴とする請求項１に記載の簡易消火装置。
【発明の詳細な説明】
【０００１】
【発明の属する技術分野】
本発明は、水道水の給水圧を用いて消火用の散水を行う、建物内、特に一般住宅に設置される簡易消火装置に関する。
【０００２】
【従来の技術】
一般住宅に設置される消火設備としては消火器が最も多い。これは火災の初期において火を消すという消火器本来の目的が有効に達成できるものでなければならず、通常の火災、油火災、電気火災などに対して消火作用をなす機能を具備することと同時に昼夜に係わらず人目につき易いことが求められる。
【０００３】
夜間にでも容易に目につく消火器としては、消火器の容器の表面に蛍光塗料や有機蛍光顔料もしくは無機蛍光顔料を混ぜたペンキを塗布し、停電により照明機器が使用できないときなどにでも迅速に消火器の存在する場所が分かるようにしたものがある（例えば、特許文献１参照のこと。）。
【０００４】
一般住宅での火災は油火災よりも寝たばこやストーブからの引火などから起こる火災が多い。消火器による消火は油火災には有効であるが、油火災以外の火災に対しては水での消火で十分であり、消火器の消火剤は人体に有害であり、また金属を腐食させるので消火作業終了後周囲に飛び散ったものまで含め、完全に拭き取る必要がある。
【０００５】
そこで、消火設備格納ボックスに粉末消火器と、上水道につながれた黄銅給水菅、耐圧スパイラルホース、着脱コネクター及びノズルとからなる放水消火栓を併設し、ボックスの室内側開口部に化粧飛散防止フィルムを貼りガラス扉で覆うとともに、内部にコンセントに接続して点灯する光センサーランプを組み込んだものが提案されている（例えば、特許文献２参照のこと。）。
こうすることにより使用者が油火災と寝たばこやストーブからの引火による一般火災とで使い分けることができるとともに、センサーランプで夜間でも設置場所がわかりやすくなっている。
【０００６】
【特許文献１】
実用新案登録第３０１３４９５号
【特許文献２】
特開２０００−３３４０６１号
【０００７】
【発明が解決しようとする課題】
しかしながら前記構成では夜間の火災の際に停電した場合、消火設備格納ボックスに屋内配電での電気式のランプを有していても照明が付かず設置場所を照らすことができない。また粉末消火器の表面に蛍光顔料を塗布したのでは、外気に触れたり手で触れたりして蛍光顔料が剥がれ、夜間で緊急且つ必要なときにどこに放水消火栓や粉末消火器があるのか分からなくなってしまうという欠点がある。
また、消火設備格納ボックスの厚みがあるので、壁内に埋め込んでも消火設備格納ボックスの一部が壁外に露出され、消火設備格納ボックスを設置する場所が限定され、更に避難する際の障害物になる恐れがある。そして、消火設備格納ボックスの扉がガラスでできていると、とっさのときに思わぬ怪我をする恐れもある。
本発明は上記課題を解決するためになされたもので、本発明の目的は一般住宅において、火災の際の停電で夜間でも消火設備を容易に確認でき、その確認部が普段の接触で損失せず、さらに避難の際の障害とならい簡易消火装置を提供することにある。
【０００８】
【課題を解決するための手段】
【０００９】
上記目的を達成するために本発明の請求項１では、室内の壁面に埋め込み取り付けられたケースの内部に給水管を導入し、給水管の下流に止水弁を設け、その下流側に折り畳まれて前記ケースに収納された消火用ホースを設け、前記消火用ホースの下流側先端を前記ケース用のカバーを介して消火用ノズルに接続されてなる簡易消火装置で、前記カバーに設けた取っ手が透明の中空体に形成され、前記取っ手の内部表面に光エネルギーを蓄積し発光する蓄光剤を塗布したことを特徴とした。
【００１０】
これにより、壁内に消火装置の主要部分が格納されるので、設置場所を選ばず、設置場所が通路であっても邪魔になることがない。また、蓄光剤が取っ手中空体の内部表面に塗布されるので、直接手に蓄光剤が触れることがなくなり、蓄光剤が剥がれ落ちず、長期間にわたり簡易消火装置を容易に発見でき、迅速に消火活動が行える。また、中空体にすることで、取っ手が軽量となり、お年寄りや女性でも長時間の消火活動が行えるようになる。
【００１１】
更に、請求項２では、取っ手が光エネルギーを蓄積し発光する蓄光剤を練り込んだ材料で成形した。
【００１２】
これにより、取っ手が蓄光剤を練り込んだ材料で成形されるので、直接手に蓄光剤が触れることがなくなり、蓄光剤が剥がれ落ちず、長期間にわたり簡易消火装置を容易に発見でき、迅速に消火活動が行える。また、取っ手に蓄光剤が練り込んまれているので、取っ手表面を透明にしなくても良い。
【００１３】
【発明の実施の形態】
以下に本発明の実施形態１について説明する。図１は、本発明の簡易消火装置を住宅の壁面に埋め込んだ場合の横断面図である。住宅の壁１の内部空間に合成樹脂成形体からなる簡易消火装置用のケース２が埋め込まれ、壁１に固定されている。また壁内部の下側より給水用樹脂配管３が導入されており、ケース２の下面より挿入され、継手４に接続されている。継手４は、止水弁５に接続され、その接合部を金属製の締結バンド２０でケース２に固定されている。
【００１４】
止水弁５は内部に上流側パッキン６ａと下流側パッキン６ｂ、及びボール体の弁体７からなり、前記弁体７には通水経路と鉛直方向に、前記弁体７を開閉状態に切り替えるための弁体軸８と、その弁体軸８にネジで固定されたハンドル９から構成されている。前記止水弁５の下流側は、金属製の締結バンド２０によって、消火用ホース接続金具１０と連結され、これでケース２に固定されている。
【００１５】
消火用ホース１２は、消火用ホース接続金具１０に挿入され、消火用ホース固定リング１１で圧着固定されている。消火用ホース１２は、ポリエステル樹脂で形成され、該ホースの外面は繊維状、内面はライニングが施されている。該消火用ホース１２は、全長は略１ｍで、カバー１４により消火用ノズル１３を介して、前記ケース２の奥行き方向に押し込まれる形で折り畳まれて、ケース２内の上部に収納されている。該消火用ホース１２の下流側先端には、合成樹脂で成形された消火用ノズル１３が、加熱溶着されている。なお、図１では、消火用ホース１２は、内面をポリエステル樹脂でライニングが施されているが、内面を合成ゴムでライニングが施されたものでもよい。同様に、図１では、消火用ホース１２は、ケース２の奥行きに対して折り畳まれてケース２に収納されているが、折り畳み方向はこれに限定されるものではなく、ケース２の幅方向に対して折り畳まれてケース２に収納されてもよい。また、図１では、消火用ホース１２の下流側先端に、消火用ノズル１３を加熱溶着しているが、必ずしも加熱溶着する必要はなく、固定リング等で圧着固定してもよい。更に、消火用ホース１２の全長は略１ｍとあるが、これは、ケース２が最小の場合であって、ケース２の大きさや折り畳み方向によって、格納出来る空間が異なるので、消火用ホース１２の全長は、略１ｍに限定するものではなく、格納最大限の範囲内であれば良い。
【００１６】
消火用ノズル１３は合成樹脂製で、ノズルの通水断面積は上流側が大きく下流側が小さく形成されており、その絞り比率は、上流側断面積４に対して下流側断面積１である。ノズルの通水断面の形状は楕円扁平状に成形されており、その楕円の短径と長径の比率は、略１／２である。また、消火用ノズルは、操作性向上のため、軽量である合成樹脂で形成されているが、アルミニウム合金などの金属類で形成されてもよく、かつ、消火用ノズル１３の絞り比は、消火散水時の噴霧距離が確保できる比率であれば、必ずしも前記の略１／４に限定するものでなく、更に消火用ノズル１３の短径と長径の比率は、ケース２への格納可能範囲であれば、前記の略１／２に限定するものではない。
【００１７】
カバー１４は、合成樹脂で成形され、一体成形された図示しないツメにより、ケース２に固定されている。該カバー１４の上部と下部には、取っ手１５を固定する固定金具１６があり、上部の固定金具１６は、該カバー１４を介して消火用ノズル１３と固定金具接続ネジ３０でネジ止めされている。下部の固定金具１６は、該カバー１４に圧入されている。
合成樹脂で成形された取っ手１５は、該固定金具１６に合成樹脂製の圧入プラグ１７を介して接続されている。圧入プラグ１７は、固定金具１６の取っ手側に形成されたプラグ挿入口径より、外径で略１割、大きく成形されている。また、該圧入プラグ１７の取っ手挿入口内径は、取っ手１５の外径と略同一に形成されている。図１では、カバー１４と取っ手１５を固定金具１６と圧入プラグ１７で接続しているが、カバー１４と取っ手１５を合成樹脂で一体的に成形されてもよい。
【００１８】
本実施形態の取っ手１５は透明の樹脂によって中空体に形成されており、内部表面に一様に蓄光剤２１を備えている。内部表面に一様に蓄光剤を塗布するには、中空体内部に蓄光剤を５０％ほど含んだインキを流し込み、６０℃で１０分から３０分乾燥させることで容易にできる。
【００１９】
ここで蓄光剤とは、太陽光や紫外線、また照明器具などから照射される光エネルギーを吸収し蓄光することができ、暗闇の中でも自然発光することができる特徴を有するものである。
【００２０】
本実施形態に使用した蓄光剤２１は発光持続時間の長いアルカリ−アルミン酸塩系である。
【００２１】
本発明の簡易消火装置は、家庭用の消火設備として使用するほか、日常でも廊下や階段の水ぶき掃除にも使用できる。取っ手１５の外面に蓄光剤を塗布すると、日常の繰り返しの使用により、取っ手１５に塗布した蓄光剤が剥がれ、実際の火災の際に発見できない恐れがある。よって、取っ手８は透明体にし、蓄光剤２１は、取っ手１５の中空体内側の表面に塗布する必要がある。
【００２２】
また、取っ手１５を中空にすることで中実体に比べて軽量になるため、カバー１４と消火用ノズル１３が接合された取っ手１５を持って消火活動を行う際に腕等の疲労が少なく、お年寄りや女性などでも消火活動ができる。
【００２３】
次に本発明の実施の形態２について説明する。図２は、本発明の取っ手に蓄光剤を練り込んで作った簡易消火装置を住宅の壁面に埋め込んだ場合の横断面図である。この図において、取っ手１５以外は、実施の形態１と同様である。本実施形態で取っ手１５は、蓄光剤２１を樹脂に練り込み、その後成形するマスターバッチ製法で製造される。蓄光剤の含有率は５０％程度が望ましい。また、取っ手１５は中空に成形することで軽く製造することもできる。この実施形態の場合には取っ手表面に蓄光剤が露出しているので特に透明の樹脂を使う必要がない。
【００２４】
【発明の効果】
本発明により夜間の火災時に停電が起こった際や、火災で煙が充満した際でも蓄光剤を取っ手に備することで簡易消火装置を容易に発見でき、迅速に消火活動が行える。
【００２５】
蓄光剤を取っ手中空体の内部表面に塗布、あるいは取っ手に蓄光剤を練り込んだ材料で成形することで、直接手に蓄光剤が触れることがないので、蓄光剤が剥がれることなく、長期間にわたり簡易消火装置を容易に発見でき、迅速に消火活動が行える。
【００２６】
また、取っ手を中空体にすることで取っ手が軽量となり、お年寄りや女性でも長時間の消火活動ができる。
【図面の簡単な説明】
【図１】本発明の簡易消火装置の実施の形態１の横断面図
【図２】本発明の簡易消火装置の実施の形態２の横断面図
【符号の説明】
１：壁
２：ケース
３：給水用樹脂配管
４：継手
５：止水弁
６ａ：上流側パッキン
６ｂ：下流側パッキン
７：弁体
８：弁体軸
９：ハンドル
１０：消火用ホース接続金具
１１：消火用ホース固定リング
１２：消火用ホース
１３：消火用ノズル
１４：カバー
１５：取っ手
１６：固定金具
１７：圧入プラグ
２０：締結バンド
２１：蓄光剤
３０：固定金具接続ネジ
【図１】
2004305502.tif 000003
【図２】
2004305502.tif 000004